(57)【要約】本発明は、少なくとも１つの現場、好ましくは１つの特定の現場において、特にユーザの携帯電話である電話と現場に設置されたカメラ装置との間に通信リンクが設定される録画方法に関する。ビデオデータは、カメラ装置によって録画され、ユーザはインタラクティブな役割を有しうる。また、本発明は、ビデオデータを録画する装置にも関する。
2004524763.tif 000002
【特許請求の範囲】
【請求項１】
少なくとも１つの現場または場所（１１）において、特に現場または場所に限定された通信リンク（１９）が、特にユーザ（１５）の携帯電話である電話（１３）と、現場（１１）に設置されたカメラ装置と、の間に設定され、
ユーザ（１５）を参加者として、カメラ装置（２７）によってビデオデータが録画されることを特徴とする録画方法。
【請求項２】
通信リンク（１９）を設定するために、カメラ装置（２７）は、現場専用の電話番号（２１）を介して電話（１３）によって呼び出されることを特徴とする請求項１記載の録画方法。
【請求項３】
少なくとも１つ、好ましくは１つだけの現場専用の電話番号（２１）が、表示装置（２３）に表示され、この表示装置（２３）は、特に現場（１１）に設置された掲示版、ポスタ、またはモニタであるとともに、特に録画時に背景として使用されることを特徴とする請求項１または２に記載の録画方法。
【請求項４】
現場（１１）における録画の実施が、特に表示装置（２３）に視覚的および／または聴覚的に表示されることを特徴とする請求項１〜３のいずれかに記載の録画方法。
【請求項５】
音声データが電話（１３）によって拾われて、特に保存されるとともに／または音声データが現場（１１）に設置された音声録音装置（３０）によって拾われて、特に保存されることを特徴とする請求項１〜４のいずれかに記載の録画方法。
【請求項６】
カメラ装置（２７）は、特に少なくとも実質的に予設定可能な録画処理に従って自動的に作動し、前記録画処理は、電話（１３）によって作動可能であることが好ましいとともに／またはカメラ装置（２７）は、録画ユニット（３１）および／または電話（１３）を介して起動、停止および／または制御されることを特徴とする請求項１〜５のいずれかに記載の録画方法。
【請求項７】
通信リンク（１９）は、電話（１３）と録画ユニット（１）との間に設定され、録画ユニット（１）は、カメラ装置（２７）との通信を提供するとともに、特にカメラ装置の制御を提供することを特徴とする請求項１〜６のいずれかに記載の録画方法。
【請求項８】
現場（１１）に設置された技術的な録画機器（２９，３０）、特に照明および／または録音用の機器は、通信リンク（１７）の設定後に、特に録画ユニットおよび／または電話（１３）によって起動、停止、および／または制御されることを特徴とする請求項１〜７のいずれかに記載の録画方法。
【請求項９】
特に音声コンピュータの形態の通信ユニット（２５）が、ユーザ（１５）との通信に使用されるとともに／または音声メッセージ、特に情報、指示、説明、および／または方向指示が、電話（１３）を通してメニュー制御によってユーザ（１５）に通信されることが好ましいことを特徴とする請求項１〜８のいずれかに記載の録画方法。
【請求項１０】
特に特定のユーザおよび／または対応する録画に関連するユーザデータが、電話（１３）、特に電話（１３）のキーパッドを通して録画ユニット（３１）に通信され、特に保存されるとともに／または保存されたユーザデータおよび／または予設定可能な基準によって少なくとも一次的に拒否されるユーザ（１５）と、好ましくは予設定可能な選択基準を満たして受け入れられるユーザ（１５）と、が区別されることを特徴とする請求項１〜９のいずれかに記載の録画方法。
【請求項１１】
少なくともビデオデータを含む録画データは、現場（１１）で保存されることが好ましいとともに／または少なくともビデオデータを含む録画データ、特に現場（１１）で保存された録画データは、通信ネットワークまたはデータネットワーク（３５）、特に既存の電話回線を介して、好ましくは現場（１１）から空間的に離れた場所、特にインターネットサーバ（４５）または中央録画設備（１７）に送信されるとともに／または少なくともビデオデータを含む録画データは、テレビ放映されるとともに／またはインターネット上で利用可能とされることを特徴とする請求項１〜１０のいずれかに記載の録画方法。
【請求項１２】
現場（１１）の生の録画が、カメラ装置によって時々または少なくとも実質的に間断なく、特にインターネット上で利用可能とされ、開始時間および終了時間を定めることができる録画部分が電話（１３）によって保存されることを特徴とする請求項１〜１１のいずれかに記載の録画方法。
【請求項１３】
ビデオデータは、後に処理されるとともに、特に録音された音声データと組み合わされ、好ましくは音声データと同期化されることを特徴とする請求項１〜１２のいずれかに記載の録画方法。
【請求項１４】
ビデオデータは、複数の空間的に離れた現場（１１，１１’，１１”，１１”’）で録画されるとともに／または対応する現場（１１）を含み、かつ他の現場（１１，１１’，１１”，１１”’）を含まない制限された領域の外で通信リンク（１９）を設定することが防止されることを特徴とする請求項１〜１３のいずれかに記載の録画方法。
【請求項１５】
特に広場や通りなどの公に出入り可能な場所が現場（１１）として選択されるとともに／または特にレストラン、ディスコ、映画館、またはイベントホールであるビルが現場（１１）として選択され、好ましくはビルの一部がステージとして設計されることを特徴とする請求項１〜１４のいずれかに記載の録画方法。
【請求項１６】
少なくとも１つの現場（１１）において、特に請求項１〜１５のいずれかに記載の方法を実行するビデオデータの録画装置であって、現場（１１）に設置された少なくとも１つのカメラ装置（２７）を有し、このカメラ装置（２７）と、特にユーザ（１５）の携帯電話である現場（１１）に位置する電話（１３）と、の間に好ましくは現場に限定された通信リンク（１９）が設定され、カメラ装置（２７）は、設定された通信リンク（１９）によって、ユーザ（１５）を参加者としてビデオデータを録画するために作動可能であることを特徴とするビデオデータの録画装置。
【請求項１７】
カメラ装置（２７）は、電話（１３）によって現場専用の少なくとも１つの電話番号（２１）で呼び出すことができることを特徴とする請求項１６記載のビデオデータの録画装置。
【請求項１８】
現場（１１）に設置された少なくとも１つの表示装置（２３）が設けられており、この表示装置には、少なくとも１つ、好ましくは１つだけの現場専用の電話番号（２１）が表示されているか、もしくは表示可能となっており、特に掲示板、ポスター、またはモニタが表示装置（２３）として提供されるとともに／または表示装置（２３）は、録画背景として構成されていることを特徴とする請求項１６または１７に記載のビデオデータの録画装置。
【請求項１９】
現場（１１）に設置された表示ユニット（２４）が設けられており、この表示ユニットによって、特に着色ライト信号および／または照光式文字表示の形態で、録画の実施が視覚的および／または聴覚的に表示され、表示ユニット（２４）は、好ましくは、現場専用の少なくとも１つの電話番号（２１）を表示する表示装置（２３）に組み込まれていることを特徴とする請求項１６〜１８のいずれかに記載のビデオデータの録画装置。
【請求項２０】
ユーザ（１５）の電話（１３）によって送信された音声データは、録音、特に保存することができるとともに／または特に保存可能な音声データの録音のために、現場（１１）に音声録音装置（３０）が設置されていることを特徴とする請求項１６〜１９のいずれかに記載のビデオデータの録画装置。
【請求項２１】
カメラ装置（２７）は、特に少なくとも実質的に予設定可能な録画処理によって自動的に作動可能であり、前記録画処理は、好ましくは電話（１３）によって操作可能であることを特徴とする請求項１６〜２０のいずれかに記載のビデオデータの録画装置。
【請求項２２】
電話（１３）およびカメラ装置（２７）と通信するように、特にカメラ装置（２７）を制御するように設計された録画ユニット（３１）が設けられており、この録画ユニット（３１）は、特に現場（１１）に設置されるとともに、特にカメラ装置（２７）に空間的に近接して設けられ、好ましくはカメラ装置（２７）に組み込まれていることを特徴とする請求項１６〜２１のいずれかに記載のビデオデータの録画装置。
【請求項２３】
録画ユニット（３１）は、ユーザ（１５）との通信のために特に音声コンピュータの形態の通信ユニット（２５）を含み、特に通信ユニット（２５）によって電話（１３）を介して、特に情報、指示、説明、および／または方向指示である音声メッセージが好ましくはメニュー制御によりユーザ（１５）に伝達可能であることを特徴とする請求項２２記載のビデオデータの録画装置。
【請求項２４】
録画ユニット（３１）は、カメラ装置（２７）との通信のために、特にコンピュータ制御の制御ユニット（４７）を含むことを特徴とする請求項２２または２３に記載のビデオデータの録画装置。
【請求項２５】
特にユーザの特定のデータおよび／または対応する録画に関連するデータであるユーザデータが、録画ユニット（３１）に伝達可能であり、かつ電話、特に電話のキーボードを介して特に保存可能であるとともに／または電話を掛けているユーザ（１５）の送信されたユーザデータを記憶されたユーザデータおよび／または予設定の基準と比較して、少なくとも一時的に拒否されるユーザ（１５）と、好ましくは予設定可能な選択基準を満たす許可されるユーザ（１５）と、を区別するように設計された評価ユニット（４９）が設けられており、この評価ユニット（４９）は、好ましくは録画ユニット（３１）に組み込まれていることを特徴とする請求項１６〜２４のいずれかに記載のビデオデータの録画装置。
【請求項２６】
少なくともビデオデータを含む録画データを、特にデータバンクに保存するために記憶装置（３７）が設けられており、この記憶装置（３７）は、好ましくは現場（１１）に設置されているとともに、特にカメラ装置（２７）または録画ユニット（３１）に組み込まれていることを特徴とする請求項１６〜２５のいずれかに記載のビデオデータの録画装置。
【請求項２７】
少なくともビデオデータを含み、特に現場（１１）で保存された録画データを含む録画データは、通信ネットワークまたはデータネットワーク、特に既存の電話回線を介して、現場（１１）と空間的に離れた場所に送信可能であり、録画データは、特に現場（１１）から空間的に離れたインターネットサーバ（４５）に送信可能であるとともに／または現場（１１）から空間的に離れた録画センタ（１７）に送信可能であることを特徴とする請求項１６〜２６のいずれかに記載のビデオデータの録画装置。
【請求項２８】
特に録画ユニット（３１）および／またはインターネットサーバ（４５）に保存されたビデオデータは、プレビューおよび／または選択の目的で低い画質で呼び出すことができることを特徴とする請求項１６〜２７のいずれかに記載のビデオデータの録画装置。
【請求項２９】
種々の現場（１１，１１’，１１”，１１”’）に関連して複数のカメラ装置（２７）が設けられているとともに／または共通の録画センタ（１７）が空間的に離れた複数の現場（１１，１１’，１１”，１１”’）に関連して設けられていることを特徴とする請求項１６〜２８のいずれかに記載のビデオデータの録画装置。
【発明の詳細な説明】
【技術分野】
【０００１】
本発明は、少なくとも１つの現場（つまり場所）、特に複数の現場（つまり場所）においてビデオデータを録画する方法および装置に関する。
【背景技術】
【０００２】
特にテレビおよびインターネットの分野では、個人的な要素および自発的な要素による娯楽や、希望する人が単純な方法で多様な活動に参加できるようにすることが求められている。特に、“道行く男性や女性”が参加でき、視聴者が自分のような人、すなわち視聴者が自分を同一視できる人によって娯楽の提供を受けることができる活動が特に将来的に有望である。
【発明の開示】
【発明が解決しようとする課題】
【０００３】
本発明の目的は、基本的に希望する人が参加して、ビデオデータを単純な方法で録画することができるようにすることである。
【課題を解決するための手段】
【０００４】
この目的は、方法に関する独立した請求項１の特徴部によって達成され、少なくとも１つの現場つまり場所において、特に通信リンク、好ましくはある現場つまり場所に限定された通信リンクが、特にユーザの携帯電話である電話と現場つまり場所に設置されたカメラ装置との間に設定され、ユーザが参加者としてカメラ装置によってビデオデータが録画される。
【０００５】
本発明によれば、基本的に世界中の所望の場所を“道行く男性または女性”のためのステージとすることができる。広場または通りなどの公に出入り可能な場所が、現場つまり場所として選択されることが好ましい。また、本発明によれば、公でない場所、例えばビル内に現場を設けることもできる。現場に入るために入場料などを請求してもよい。
【０００６】
本発明では、ユーザ自身がビデオデータの録画時を決定し、所定の現場において、携帯電話などによって現場に関連したカメラ装置との間に通信リンクを設定することができる。本発明によると、参加者は、このように電話を介して自発的に個人的なビデオデータの録画を開始する。
【０００７】
本発明は、電話を介して現場に設けられた設備、携帯電話の場合にはユーザが有する設備を有利に利用する。
【０００８】
ビデオデータは、歌、パントマイムの発表、友達や知人への言葉または歌による挨拶などのユーザの発表やショーでありうる。さらに、ユーザは、クイズに答えるように指示されてもよい。また、ユーザは、本発明を使用して広く一般に自己紹介を行うことができ、これによりお見合い番組などが実現可能である。他方、本発明は、アンケート調査の実行に使用することもできる。さらに、本発明によって採用活動を行うことも可能である。本発明は、特に配役の目的で使用することができる。
【０００９】
本発明によると、ユーザと直接通信するために電話のスピーカが利用可能であり、これはクイズゲームなどでクイズの問題が周囲の人に聞こえないよう通信を行うことが必要な場合に特に有利である。
【００１０】
本発明の特に好適な実施例では、カメラ装置が、現場専用の電話番号によって通信リンクを設定するように電話で呼び出される。現場にいるユーザは、例えば、通信リンクを設定するために自分の携帯電話を使用して現場専用の電話番号をダイヤルする。この電話番号は、一般に所望の番号とすることができ、一般的なモバイル式無線ネットワークの番号または有料番号であってもよい。
【００１１】
また、少なくとも現場専用の電話番号が現場に設置された表示装置に表示されるようにすることが好ましい。
【００１２】
これにより、通常の広告領域を対話式の表示装置とすることができ、表示された電話番号に単に電話を掛けることによって、広告領域の設置場所を録画スタジオとすることができる。
【００１３】
本発明によると、現場と関連して１つの電話番号のみを提供するか、または現場専用の電話番号を複数提供して、例えば、お見合い番組、クイズゲーム、配役、またはアンケート調査などの異なるカテゴリーからユーザが選択することを可能にすることができる。
【００１４】
１つまたは複数の電話番号に加えて、各々の電話番号の目的を現場の人に説明するための説明書きを表示することもできる。この情報は、例えば、広告的な環境に表示することができる。
【００１５】
表示装置は、例えば、掲示板、ポスター、またはモニタとすることができる。この表示装置は、録画中に背景として使用されることが好ましい。ユーザは、例えば、録画中に録画背景として設計された一般に広告目的で使用される掲示壁などの表示装置の前に立つ。本発明では、例えば、表示装置の対応する設計および録画条件の選択によって、知られたテレビスタジオを広場または通りに再現することができる。
【００１６】
本発明では、さらに、現場において進行中の録画が視覚的および／または聴覚的に表示される。“録画中”などの表示が、現場専用の電話番号を示すとともに録画背景として機能する表示装置に表示されることが好ましい。掲示壁などは、このように効果的な追加機能を果たす。“録画中”の表示は、赤いライトおよび／または録画中に“録画中”の文字の点灯によって行うことができ、これにより、現場で本当のスタジオのような雰囲気が生じる。ユーザは、電話によって録画を開始することで現場を自分のスタジオに変えるだけでなく、追加の視覚的および／または聴覚的な表示ユニットを利用して現場の人の注意を録画活動すなわち自分自身に向けることができるので、現場に設置された表示ユニットは、ユーザにとって特に魅力的である。表示ユニットは、電話番号を表示するとともに録画背景として機能する掲示壁などと一体に設ける必要はなく、一般に現場の所望の位置に設けることができる。
【００１７】
さらに、本発明では、電話を通して音声データを拾って、特に保存することが提案される。ビデオデータ用の音声、特にユーザの言葉は、現場にあるまたはユーザが所有する設備を利用して、追加の録音技術を用いずに拾うとともに、後で使用するために選択的に録音することができる。
【００１８】
選択的にまたは追加して、現場に設置された録音装置によって音声データを録音することができる。これにより、周囲の音声を拾って現場の雰囲気を捉えることができる。
【００１９】
また、カメラ装置は、自動的に作動し、特に、少なくとも実質的に予め設定可能で、かつ好ましくは電話によって操作可能な録画手順によって作動することが好ましい。
【００２０】
カメラ装置は、録音ユニットおよび／または電話を通して、起動、停止、および／または制御されることが好ましい。
【００２１】
カメラ装置は、電話によってオンにされるとともに録画の終了後に再びオフにされることが好ましい。これにより、誰しもが多かれ少なかれ自分のスタジオの管理者になれる。常に作動しているカメラ装置の場合には、電話によって追加の手順が開始および終了され、この手順には、特にユーザによって開始および終了された期間内にカメラ装置によって提供されるデータの送信および／または録画が含まれる。
【００２２】
カメラ装置または追加の手順の起動および停止は、電話とカメラ装置との間で直接行われるか、または現場に設けられた録画ユニットや現場から空間的に離れた録画センタの形態などの中間ステーションを介して行われる。
【００２３】
電話およびカメラ装置と通信し、特にカメラ装置を制御するように構成された録画ユニットが設けられることが好ましい。これにより、電話とカメラ装置との間の通信は、録画ユニットによって開始することができる。
【００２４】
録画ユニットは、現場に設置されることが好ましく、特にカメラ装置に空間的に近接して設けられ、カメラ装置に組み込まれることが好ましい。
【００２５】
録画ユニットは、特に音声コンピュータの形態の通信ユニットをユーザとの通信用に含むことができる。音声メッセージ、特に、情報、指示、説明、および／または方向指示は、通信ユニットを使用して電話を介してユーザに伝えることができる。ユーザとの通信は、好ましくは、メニュー制御によって行われ、ユーザは、自分の携帯電話のキーパッドなどを利用してメニューを通して案内を受けることができる。
【００２６】
ユーザは、音声メッセージによって直接案内を受けることができ、例えば、破壊行為からカメラを保護するために隠れるようにまたはカモフラージュして現場に設置されたカメラを向くように指示されうる。さらに、ユーザにゲームのルールを説明したり、該当しうる法的な条件を知らせたり、実際の録画の開始および終了を知らせたりすることができる。
【００２７】
通信ユニットの代わりにまたはこれに加えて、ユーザが通信リンクを設定した録画センタにいるスタジオ管理者、ホスト、またはディレクターを勤める人によって、少なくとも部分的に音声メッセージをユーザに送信することができる。
【００２８】
本発明の他の好適実施例では、特にユーザ固有のユーザデータおよび／または各々の録画に関連するユーザデータは、電話を通して録画ユニットに送信され、特に保存されるとともに、データの入力には電話のキーパッドが使用されることが好ましい。
【００２９】
これにより、ユーザは、例えば、各々の録音または後の評価のために要求されるユーザデータが収集されることを有利に確認することができる。参加者は、このように自分で任意に中央データベースに個人データを入力することができる。ユーザデータは、例えば、性別や年齢などのユーザの特定の情報や各々の録画に関連する情報などである。これにより、ユーザは、クイズゲームやアンケート調査などの枠組みにおいて、電話の対応するキーを押すことで質問に対する答えを選択することができる。
【００３０】
さらに、本発明では、記憶されたユーザデータおよび／または予め設定可能な基準によって、少なくとも一時的に拒否されるユーザと受け入れるユーザとの区別を行うことが好ましい。
【００３１】
記憶されたユーザデータは、上述のデータだけでなく、ユーザによって使用された電話の電話番号などを含みうる。これにより、例えば、特定の携帯電話を直接拒否して、その所有者の参加を拒否することが可能となる。これにより、録画装置を問題を起こす人から保護することができる。このような破壊行為からの保護に加えて、電話を掛けてくるユーザの中で予め設定可能な特定の選択基準を満たすユーザを特定することが可能となる。例えば、対応する時間とともに電話を掛けてきた人の電話番号を記録すれば、このようなデータを利用して全てのユーザを１日または１週間などの予め設定可能な期間内で確実に１度だけ受け入れるようにすることができる。これにより、装置の機能性も確保される。さらに、記憶されたユーザデータは、例えば、ユーザの電話数がカウントされて電話数が特定数に達すると賞が与えられるコンペにも使用可能である。
【００３２】
この結果、装置の安全性を高めるとともに、装置の機能性を確保し、かつユーザデータを記憶することによってさらに複数の利用形態を同時に提供することができる。
【００３３】
録画ユニットは、カメラ装置との通信用に制御ユニット、特にコンピュータ支援の制御ユニットを含みうる。また、代わりにまたは追加して、現場から空間的に離れた録画センタなどによってカメラ装置を遠隔制御することもできる。これは、制御装置によって自動的にまたは録画センタにいる人によって手動で同様に実行可能である。
【００３４】
本発明の他の好適実施例では、少なくともビデオデータを含む録画データの記憶のために、コンピュータハードディスクなどの形態のメモリユニットが設けられる。メモリ装置は、現場に設置されることが好ましく、特にカメラ装置または録画ユニットに組み込まれ、録画データは、特にデータベースに保存される。一般に、ビデオデータは、従来のビデオカセットなどの磁気テープに録画してもよい。
【００３５】
本発明の他の変形例では、録画ユニットをインターネットサーバとして設計することが提案されている。これにより、少なくとも録画したビデオデータを含む録画データを現場で保存することができるとともに、インターネット上で作動させることができる。
【００３６】
本発明のまた他の好適実施例では、現場に設置された技術的な録画機器は、特に録画ユニットおよび／または電話を介して、通信リンクの設定後に起動、停止、および／または制御することができる。技術的な録画機器は、例えば、照明および／または録音機器である。
【００３７】
ユーザが開始する録画機器の動作は、レストラン、ディスコ、映画館、またはイベントホールなどのビルが現場として使用されるときに特に有利である。現場は、ステージとされたビルの一部でありうる。
【００３８】
特に現場がビルまたはビルの一部である場合に、現場に設置された電話を通信用に提供することができる。この場合には、ユーザの携帯電話は不要となる。
【００３９】
本発明では、さらに、通信ネットワークまたはデータネットワークを介して現場から空間的に離れた場所に送信可能となるように、特に現場で保存されるビデオデータを少なくとも含むデータが録画される。この目的のために、例えば、カメラ装置の録画ユニットは、ＩＳＤＮ、ＡＤＳＬ、ＨＤＳＬ、ＴＤＳＬ、またはアナログ接続などによってローカルな電話回線に単に接続される。
【００４０】
また、本発明では、録画データを無線通信ネットワーク、特にモバイル式無線ネットワークを介して、現場に設けられた送信ユニットから現場から空間的に離れた録画センタなどに位置する受信ユニットへと録画データを送信することも一般的に可能である。
【００４１】
本発明の変形例では、インターネット上で録画データが利用可能となるように、録画データをインタネットサーバに送信することができる。
【００４２】
また、現場から空間的に離れた録画センタに録画データを送信することもできる。ビデオデータは、ここで後の処理を行い、特に録音された音声データと合わせることができ、好ましくはこの音声データと同期化される。
【００４３】
一般に、送信にはあらゆる適切なデータ送信方法が使用可能である。
【００４４】
本発明の他の変型例では、少なくともテレビ放映されるビデオデータを含むデータが録画される。
【００４５】
これに関して、各々の録画は、電話をかけるユーザが参加するショーや発表などを含む番組の一部を構成することができる。テレビ番組は、録画した複数の番組部分から編集することができる。本発明は、これにより、例えば１日である録画期間中に１つまたは複数の現場で録画した番組の断片を集め、特定の選択基準に基づいて、集まった番組の断片から例えば毎晩放映されるテレビ番組を編集することを可能とする。
【００４６】
このテレビ番組は、最小限の制作費で大きな多様性を有することができ、歌う中国人、クイズに答える南アフリカ人女性、パートナーを捜している独身のスウェーデン人、お見合い番組でドイツにいる両親に挨拶する米国に住む交換留学生、などを放映しうる。各々の場面は、元の現場であり、労働集約的でかつコスト集約的な録画チームを使用していない。録画した番組部分は、後で処理することができる。番組部分は、特に必要に応じてカットしたり、コメントを付けたり、および／または音楽サウンドトラックを追加したりすることができる。
【００４７】
また、本発明では、録画データを代わりにまたは追加してインターネット上で利用可能とすることができる。これにより、誰でもクイズ番組、お見合い番組、または他の娯楽活動の枠組み内などで行われた録画を無料または有料で呼び出すことができる。しかし、このような録画は、例えば、採用、配役、またはアンケート調査活動などの枠組み内で純粋に非公開の目的で使用することもでき、認可された人だけが保存された録画データにアクセスできるようにすることができる。
【００４８】
さらに、カメラ装置は、現場の生の録画がカメラ装置によって時々またはインターネット上で実質的に間断なく利用できる、所謂ウェブカムのように使用可能である。ユーザは、電話によって、開始時点と終了時点を自分で定めることができ、かつ自分自身が録画された録画部分が保存されることを確認することができる。生放送とは違って保存された録画部分はなくならないので、ユーザは、例えばインターネット上で自分を永久に記録することができる。
【００４９】
本発明の特に好適な実施例では、ビデオデータが複数の空間的に離れた現場で録画される。
【００５０】
本発明では、一般に現場およびカメラ装置の世界にわたるネットワークを使用することができ、各々の現場に位置するカメラ装置には、電源と、通常の電話線で充分である通信ネットワークまたはデータネットワークへの接続の可能性だけが必要である。これにより、世界中の参加者から自発的でかつ個人的な発表や他の録画を集めることができる。
【００５１】
複数の空間的に離れたカメラ装置を使用することで、種々の他の用途の可能性が出てくる。例えば、参加者が予め決められた手順で複数の現場を連続的に訪れて、そこで特定のタスクなどを実行するラリーゲームなどを本発明によって実行することができる。ラリーは、例えば、テレビおよび／またはインターネットを通して生で見られるか、または後で制作される報告の一部として見られる。
【００５２】
現場の配置は、都市、領域、または国に限定されることが好ましい。
【００５３】
本発明では、対応する現場を含むが、他の現場を含まない限定された領域の外で通信リンクの設定が妨げられる。これにより、現場に限定された録画が保証され、各々の領域の外から対応する現場専用の電話番号に電話をかける人による妨害が防止される。限定された領域は、現場を有効範囲に含む特定のモバイル式無線セルである。
【００５４】
本発明の根元的な目的は、装置に関する独立した請求項の特徴部、特に少なくとも１つの現場においてビデオデータを録画する装置によって達成され、この録画装置は、現場に設置された少なくとも１つのカメラ装置を有し、現場に位置する電話、特にユーザの携帯電話を使用して、上記カメラ装置との間に好ましくは現場に限定された通信リンクが設定され、この通信リンクが設定されると、ユーザを参加者としてビデオデータを録画するようにカメラ装置を操作することが可能となる。
【００５５】
従って、各々の現場において、装置のオペレータによってカメラ装置のみを利用可能とするだけでよい。他の設備は、ユーザの携帯電話や対応するモバイル式無線ネットワークが使用されるか、現場に位置する電話が使用されることで既に存在する。現場に電話がない場合には、現場で電話のみを利用可能とする必要がある。
【００５６】
本発明の録画方法および録画装置の両方に関する他の好適実施例は、従属クレーム、実施形態、および図面に記載されている。
【発明を実施するための最良の形態】
【００５７】
本発明の図示の実施例では、録画が個々の多様な現場つまり場所１１で行われ、このような現場の１つが点線によって示されている。他の現場１１’，１１”、１１”’などは、図ではインターネットサーバ４５および以下でより詳細に説明する録画センタ１７を指す矢印によって表されている。
【００５８】
現場１１は、町の広場や通りの一区画などの公に出入りできる場所である。一般に、入場料を要求する公でない現場つまり場所なども検討することができる。現場１１は、ビルの内部に設けてもよい。ステージとして設計されたビルの一部なども、現場１１となりうる。
【００５９】
表示装置２３が現場１１に設置され、この表示装置は、例えば、一般に広告目的で使用される掲示壁などの形態を有する。各々の現場１１に関連した専用の電話番号２１、例えばモバイル式無線ネットワークの電話番号が表示装置２３に表示される。さらに、赤いランプまたは“録画中”の照光されたメッセージなどの形態の表示ユニット２４が表示装置２３と一体に設けられているとともに、進行中の録画を視覚的に表示するように、以下でより詳細に説明する録画ユニット３１によって制御可能となっている。
【００６０】
録画装置は、さらに現場１１に設置されたカメラ装置２７を含み、このカメラ装置２７は、カメラ３９と、カメラ３９に接続されるとともにカメラ３９に空間的に近接して配置されたコンピュータ制御の録画ユニット３１と、を有する。録画ユニット３１は、カメラ３９用のコンピュータ支援制御ユニット４７と、特に録画データおよびユーザデータを保存するコンピュータハードディスクの形態の評価ユニット３７と、ユーザ１５との通信のための音声コンピュータの形態の通信ユニット２５と、を含む。
【００６１】
カメラ装置２７は、カメラ３９が現場１１の全体、または現場の少なくとも一部を映すことができるとともに、可能な限り破壊行為から保護されるように配置される。この目的のために、カメラ装置２７を現場１１がよく見えるアパートに配置することもできる。カメラ装置２７、特にカメラ３９は、関係者以外の人がカメラ３９の位置を発見できないように、隠れるすなわちカモフラージュされる方法で配置することが好ましい。
【００６２】
さらに、録画装置は、モバイル式無線ネットワークだけでなく、現場１１にあるユーザ１５の携帯電話１３を利用して本発明に係る録画方法を実行する。一般に、現場１１に設置された電話を使用することもできる。その場合には、携帯電話１３は不要となる。
【００６３】
携帯電話１３を持っており、かつ現場にいる人１５であれば、誰でもカメラ装置２７によって自分達を録画してもらうことができる。このためには、ユーザ１５は、表示ユニット２３に表示された現場専用の電話番号を自分の携帯電話１３でダイヤルする。
【００６４】
本発明の好ましい実施例では、これにより、携帯電話１３と現場の録画ユニット３１との間に通信リンク１９が設定される。
【００６５】
図面で破線で示されている他の実施例では、電話１３とカメラ装置２７との間の通信は、録画センタ１７を介して行うことができ、この録画センタ１７は、世界中の所望の場所に設けることが可能であり、かつ一般的な電話回線などの所望の通信ネットワークまたはデータネットワークを介してカメラ装置２７と通信可能である。録画ユニット３１の機能は、完全にもしくは部分的に録画センタ１７によって実行することができる。この点に関しては、録画センタ１７について以下ではこれ以上詳しく説明しない。
【００６６】
録画装置は、さらに、インターネットサーバ４５を含み、このインターネットサーバ４５に録画データ、特にカメラ３９を介して録画ユニット３１に送られたビデオデータを送信することができる。録画ユニット３１と現場１１から空間的に離れたインターネットサーバ４５との間の通信は、一般的な電話回線３５によって行われる。このため、録画ユニット３１は、現場１１におけるローカルなＩＳＤＮ接続などを介して電話回線３５に接続されている。一般に他の通信ネットワーク、そして基本的に無線通信ネットワークもデータの送信に使用可能である。インターネットサーバ４５は、世界中の所望の場所に設けることができる。
【００６７】
録画センタ１７が現場１１での処理の制御に使用されるかどうかに係わらず、録画データは、選択的にまたは追加して現場１１から録画センタ１７に送信することができ、ここでテレビ放映などのための番組としてデータを作成するとともに、後で処理して適切な方法で番組に編集することができ、または他の目的のために他の方法で評価することができる。
【００６８】
また、本発明によると、録画ユニット３１自体をインターネットサーバとして構成することもできる。この場合には、録画して保存されたデータを録画ユニット３１で直接呼び出すことが可能になる。
【００６９】
録画装置は、さらに、実際には照明機器２９および録音装置３０である技術的な録画機器を含む。特にビル内に位置する現場１１で使用される録画機器２９，３０は、実際には単純な制御線などとして設けられる対応する通信ネットワーク４３である制御ユニットによって起動、停止、および制御可能である。
【００７０】
録音装置３０および携帯電話１３のマイクによって拾った音声データは、カメラ３９によって送られるビデオデータとともにメモリ装置３７の対応するデータベースに保存することができる。さらに、予め設定した選択データとともにユーザデータを録画ユニット３１に保存することができる。このユーザデータは、特に電話してきたユーザ１５の電話１３の番号や、電話１３、特に電話のキーパットを通してユーザ１５自身が入力したデータを含む。
【００７１】
この装置は、例えば以下のように作動する。
【００７２】
現場１１のユーザ１５が、自分の携帯電話１３で掲示壁２３に表示された電話番号２１にダイヤルし、この掲示壁は知られたテレビ番組のスタジオを再現している。
【００７３】
録画ユニット３１では、記憶された電話番号を参照し、電話をかけてきた人１５を受け付けるかどうかについて評価ユニット４９を利用して自動的なチェックが行われる。例えば、電話１３で同じ日に３回以上、またはここ１週間で１０回以上電話が掛けられていた場合には受け付けない。また、現場１１を有効範囲に含むモバイル式無線セルの外から電話してきた人も、対応する選択基準を適用することにより拒否することができる。
【００７４】
呼び出されたカメラ装置２と拒否されたユーザおよび受け入れられたユーザの両方との間の通信は、録画装置３１の音声コンピュータによって行われる。録画センタ１７が使用される場合には、スタジオ管理者、ホスト、またはディレクターとして録画センタ１７で働く人がユーザ１５と話すこともできる。
【００７５】
これにより、例えば、ユーザ１５に発表の機会があることを知らせることができ、このような発表の機会は、歌を歌ったり、クイズに答えたり、お見合い番組の枠組み内で自己紹介をしたり、アンケート調査に参加したりすることなどを含み、これに応じてカメラ３９によって録画がなされる。採用、配役、およびアンケート調査などの場合には、対応する活動の枠組みの中でなにが求められているかをユーザ１５に知らせることができる。
【００７６】
ユーザ１５がカメラ３９の存在または位置を知らない場合には、携帯電話１３を通してユーザ１５にカメラ３９に映る特定の方向を向くように指示することが可能である。さらに、携帯電話１３を通して、ユーザ１５を現場１１の特定の位置、例えば印を付けた位置に導くことができる。
【００７７】
現行の法律上の要求事項または他の規定を満たすために、録画を開始する前に対応する法的な背景についてユーザ１５に知らせることができる。特に、録画されること、そして選択的に、録画を一般にアクセス可能とすることおよび／または商業的に使用することに対する同意を宣言するようにユーザ１５に求めることが可能である。
【００７８】
この準備段階において、録画ユニット３１のメニューによってユーザ１５を案内することができ、このメニューでは、音声制御もしくは電話１３のキーパッドを介して提示されたメニュー項目を選択することができる。
【００７９】
また、メモリ装置３７のデータベースに入力するために、電話１３のキーパッドを通して性別、年齢、職業、などの特定のデータを録画ユニット３１に送信するよう指示するメッセージをユーザ１５に表示することができる。これにより、所望の情報をキーパッドの入力に置き換えるとともに、デジタル形式で保存することが可能となる。
【００８０】
音声または電話のキーパッドのいずれかによる情報の入力は、録画の準備に限らず、実際の録画中にも行うことができる。
【００８１】
“録画中”の表示２４は、通信リンク１９の設定または実際の録画開始の直後に録画ユニット３１によって既に自動的に起動されており、今度のまたは進行中の録画が現場１１にいる人に表示される。
【００８２】
さらに、最適な照明を提供するとともに周囲の音を拾うように、録画ユニット３１によって録画機器２９，３９が自動的に起動される。また、少なくとも一定の限度内で、電話１３を介してユーザ１５自身が現場１１に設置された録画機器２９，３０およびカメラ装置３７を操作できるようにしてもよい。
【００８３】
録画装置は、ユーザが実際の録画中に録画背景となる掲示壁２３の前に立つように考えられている。ユーザ１５は、単に現場専用の電話番号２１を掛けることによって、掲示壁２３の設計によって予め決定された背景に入る、つまり自分自身を背景内に“送信”することができる。
【００８４】
実際の録画の開始と終了は、同様に電話１３を通してユーザに知らせることができる。
【００８５】
録画中にカメラ３７が録画したビデオデータ、録音装置３０および電話１３が拾った音声データ、および電話１３のキーパッドを通して送信されたユーザデータ、および電話を掛けるために使用した電話１３の電話番号がメモリ装置３７のデータベースに記憶される。
【００８６】
これらの録画データは、録画の直後に電話回線３５を介してインターネットサーバ４５および／または選択的に設けられる録画センタ１７に送信することができ、または後で呼び出すことができる。
【００８７】
録画ユニット３１には、プレビュー機能を装備することが可能であり、これにより、少なくとも認可された人が、所望の場所において保存されたビデオデータを低い画質で比較的早く見ることができる。編集、特に画像と音声との同期化は、録画ユニット３１、インターネットサーバ４５、または選択的に設けられる録画センタ１７において適切な処理によって行うことができる。
【００８８】
娯楽目的で録画したデータは、インターネット上で一般にアクセス可能とされるか、テレビで無料または有料で放送され、アンケート調査、採用、配役などの活動の枠組み内で得られたデータは、個々の委託者などの認可された人のみによってアクセス可能とされる。
【００８９】
例えば、１つの現場１１または複数の現場１１，１１’，１１”，１１”’で１日または複数日にわたって録画された個々の番組部分などのテレビ用に集められた複数の録画から後で番組を編集して放送することもできる。
【図面の簡単な説明】
【００９０】
【図１】本発明に係る録画方法の実行に適した録画装置の概略説明図である。
【国際公開パンフレット】
2004524763.tif 000003
2004524763.tif 000004
2004524763.tif 000005
2004524763.tif 000006
2004524763.tif 000007
2004524763.tif 000008
2004524763.tif 000009
2004524763.tif 000010
2004524763.tif 000011
2004524763.tif 000012
2004524763.tif 000013
2004524763.tif 000014
2004524763.tif 000015
2004524763.tif 000016
2004524763.tif 000017
2004524763.tif 000018
2004524763.tif 000019
2004524763.tif 000020
2004524763.tif 000021
2004524763.tif 000022
2004524763.tif 000023
2004524763.tif 000024
2004524763.tif 000025
2004524763.tif 000026
2004524763.tif 000027
2004524763.tif 000028
2004524763.tif 000029
2004524763.tif 000030
2004524763.tif 000031
2004524763.tif 000032
2004524763.tif 000033
2004524763.tif 000034
2004524763.tif 000035
2004524763.tif 000036
2004524763.tif 000037
2004524763.tif 000038
【国際公開パンフレット（コレクトバージョン）】
2004524763.tif 000039
2004524763.tif 000040
【国際調査報告】
2004524763.tif 000041
2004524763.tif 000042
2004524763.tif 000043
2004524763.tif 000044
2004524763.tif 000045
2004524763.tif 000046